(57)【要約】【課題】第１接続部および第２接続部を含み、第１接続部に挿入される第１充電コネクタと、第１接続部および第２接続部に挿入される第２充電コネクタとの一方が接続される充電コネクタ接続装置において、各充電コネクタを充電コネクタ接続装置に良好に接続することができると共に、第１充電コネクタが接続されたときに、第２接続部を良好に閉塞することができる充電コネクタ接続装置を提供する。【解決手段】充電コネクタ接続装置は、接続部４１を閉塞する閉塞位置７７と、接続部４１に第２充電コネクタを接続できるように接続部４１を開放する開放位置７８との間を移動できるように設けられた蓋３６と、蓋３６が閉塞位置７７と開放位置７８との間の初期位置７９に位置するように蓋３６に付勢力を加える弾性部材５６と、第１充電コネクタのコネクタ接続部４１への挿入に伴って移動し、初期位置７９に位置する蓋３６を押圧して蓋３６を閉塞位置７７に移動させる押圧部材７５とを備える。【選択図】図６
2016219242.tif 000002
【特許請求の範囲】
【請求項１】
第１接続部および第２接続部を含み、前記第１接続部に挿入される第１充電コネクタと、前記第１接続部および前記第２接続部に挿入される第２充電コネクタとの一方が接続されるコネクタ接続部と、
前記第２接続部を閉塞する閉塞位置と、前記第２接続部に前記第２充電コネクタを接続できるように前記第２接続部を開放する開放位置との間を移動できるように設けられた蓋と、
前記蓋が前記閉塞位置と前記開放位置との間の初期位置に位置するように前記蓋に付勢力を加える弾性部材と、
前記第１充電コネクタの前記コネクタ接続部への挿入に伴って移動し、前記初期位置に位置する前記蓋を押圧して前記蓋を前記閉塞位置に移動させる押圧部材と、
を備え、
前記第１充電コネクタが前記第１接続部に接続されると、前記押圧部材は前記蓋が前記閉塞位置の位置に維持されるように前記蓋を支持する、充電コネクタ接続装置。
【請求項２】
前記第２充電コネクタの挿入に伴って移動した前記押圧部材と、前記開放位置に位置する前記蓋とは、互いに離れるように位置する、請求項１に記載の充電コネクタ接続装置。
【請求項３】
前記第１充電コネクタまたは前記第２充電コネクタが挿入される前記コネクタ接続部の正面側と反対側の背面側に設けられたアーム部と、
前記アーム部が揺動するように前記アーム部を支持する支持部と、
前記アーム部に設れ、前記アーム部から前記コネクタ接続部の前記背面側から前記正面側に向けて突出する突出部とをさらに備え、
前記押圧部材は、前記支持部に対して前記突出部と反対側に設けられ、
前記突出部は、前記コネクタ接続部に挿入される前記第１充電コネクタまたは前記第２充電コネクタによって押圧される位置に設けられ、
前記アーム部は、前記突出部が前記第１充電コネクタまたは前記第２充電コネクタによって押圧されると前記押圧部材が前記背面側から前記正面側に向かう方向に移動するように回転し、
前記押圧部材は、前記背面側から前記正面側に向かう方向に移動することで、前記初期位置に位置する前記蓋を押圧する、請求項１または請求項２に記載の充電コネクタ接続装置。
【請求項４】
前記蓋は、前記第２接続部の下端部側に回転するように取り付けられ、
前記初期位置に位置する前記蓋は、上端部が前記第２接続部から離れた状態である、請求項１から請求項３のいずれかに記載の充電コネクタ接続装置。
【請求項５】
前記蓋は、前記第２充電コネクタの側面を支持する支持壁を含む、請求項１から請求項４のいずれかに記載の充電コネクタ接続装置。
【請求項６】
前記第１充電コネクタまたは前記第２充電コネクタが前記コネクタ接続部に挿入されたことを検知する検知部と、
前記押圧部材を移動させるアクチュエータとをさらに備え、
前記コネクタ接続部は、前記第１充電コネクタまたは前記第２充電コネクタが挿入される正面と、前記正面に対して反対側に位置する背面とを含み、
前記アクチュエータは、前記第１充電コネクタまたは前記第２充電コネクタが挿入されると、前記押圧部材を前記背面側から前記正面側に向けて移動させる、請求項１に記載の充電コネクタ接続装置。
【請求項７】
第１充電コネクタが接続される第１接続部および第２充電コネクタが接続される第２接続部を含むコネクタ接続部と、
前記第２接続部を閉塞する閉塞位置と、前記第２接続部に充電コネクタを接続できるように前記第２接続部を開放する開放位置との間を移動できるように設けられた第２接続部用蓋と、
前記第２接続部用蓋が前記閉塞位置と前記開放位置との間の初期位置に位置するように前記第２接続部用蓋に付勢力を加える第２蓋用弾性部材と、
第１充電コネクタの前記第１接続部への挿入に伴って移動し、前記初期位置に位置する前記第２接続部用蓋を押圧して前記第２接続部用蓋を前記閉塞位置に移動させると共に、前記第１充電コネクタが前記第１接続部に接続されると、前記閉塞位置に位置する前記第２接続部用蓋が前記閉塞位置の位置に維持されるように前記第２接続部用蓋を支持する第２蓋用押圧部材と、
を備えた、充電コネクタ接続装置。
【請求項８】
前記第１接続部を閉塞する閉塞位置と、前記第１接続部に第１充電コネクを接続できるように前記第１接続部を開放する開放位置との間を移動できるように設けられた第１接続部用蓋と、
前記第１接続部用蓋が前記第１接続部用蓋の閉塞位置と前記第１接続部用蓋の開放位置との間に位置する初期位置に位置するように前記第１接続部用蓋に付勢力を加える第１蓋用弾性部材と、
前記第２充電コネクタの前記第２接続部への挿入に伴って移動し、前記第１接続部用蓋の開放位置に位置する前記第１接続部用蓋を押圧して、前記第１接続部用蓋を前記第１接続部用蓋の閉塞位置に移動させる第１蓋用押圧部材と、
をさらに備え、
前記第１蓋用押圧部材は前記第２充電コネクタが前記第２接続部に接続されると、前記第１接続部用蓋の閉塞位置に位置する前記第１接続部用蓋が、前記第１接続部用蓋の閉塞位置の位置に維持されるように、前記第１接続部用蓋を支持する、請求項７に記載の充電コネクタ接続装置。
【発明の詳細な説明】
【技術分野】
【０００１】
本発明は、充電コネクタ接続装置に関する。
【背景技術】
【０００２】
近年、急速充電の規格として、コンボ方式（ＳＡＥ  Ｊ２８４７／２、または、ＩＥＣ６１８５１−２３）が知られている。コンボ方式のＤＣ充電コネクタは、通信部と、ＤＣ充電用の２ピン端子を含むＤＣ充電端子部とを含む。なお、通信部は、ＡＣ充電コネクタ（ＳＡＥ Ｊ１７７２、または、ＩＥＣ ６２１６９−２ Ｔｙｐｅ２）と同じ形状になっている。
【０００３】
このコンボ方式の充電コネクタに対応した充電コネクタ接続装置は、通信部に対応した第１接続部と、ＤＣ充電コネクタの２ピン端子に対応した第２接続部とを含む。
【０００４】
そして、コンボ方式のＤＣ充電コネクタが充電コネクタ接続装置に接続されると、通信部の部分が第１接続部に挿入され、ＤＣ充電端子部が第２接続部に挿入される。そして、ＡＣコネクタが接続される場合には、第１接続部にＡＣコネクタが挿入され、第２接続部は露出した状態になる。
【０００５】
一般に、２つの接続部を備えた充電コネクタ接続装置において、一方の接続部にコネクタが接続された場合に他方の接続部が外部に露出しないようにするための構造について各種提案されている。
【０００６】
特開２０１３−２１２００１号公報に記載された充電コネクタ接続装置は、急速充電コネクタが接続される急速充電接続部と、普通充電コネクタが接続される家庭用接続部と、一方の充電コネクタが接続されているときに他方の充電コネクタの接続を阻止する接続阻止部とを備える。
【０００７】
接続阻止部は、接続部の背面側に設けられた揺動部と、揺動部の一端側に設けられ、急速充電接続部の背面側に設けられた第１可動部と、揺動部の他端側に設けられ、家庭用接続部の背面側に設けられた第２可動部とを含む。第１可動部は、第１可動部の先端部に回転可能に設けられ、急速充電接続部の周囲に位置する突出部と、この突出部を閉じるように付勢するバネとを含む。
【０００８】
第２可動部は、第２可動部の先端部に回転可能に設けられ、家庭用接続部の周囲に位置する突出部と、この突出部を閉じるように付勢するバネとを含む。
【０００９】
そして、急速充電接続部に急速充電コネクタが接続されると、急速充電コネクタが第１可動部を押し込み、第１可動部が押し込まれると揺動部が回転し、第２可動部が押し上げられる。第２可動部が押し上げられると、第２可動部の先端部に設けられている突出部が、バネの付勢力によって家庭用接続部の開口部を閉塞する。
【００１０】
同様に、家庭用接続部に普通充電コネクタが接続されると、普通充電コネクタによって第２可動部が押し込まれる。第２可動部が押し込まれると、揺動部が回転して、第１可動部が押し上げられる。第１可動部が押し上げられると、第１可動部に設けられた突出部がバネの付勢力によって、急速充電接続部を閉塞する。
【先行技術文献】
【特許文献】
【００１１】
【特許文献１】特開２０１３−２１２００１号公報
【発明の概要】
【発明が解決しようとする課題】
【００１２】
特開２０１３−２１２００１号公報に記載された充電コネクタ接続装置においては、各突出部は、バネの付勢力によって各接続部を閉塞している。このため、たとえば、急速充電接続部に急速充電コネクタが接続され、家庭用接続部が突出部で閉じられている状態においても、バネの付勢力に反して、突出部を開けることができる。
【００１３】
さらに、発明者等は、特開２０１３−２１２００１号公報に記載された構造を、コンボ方式の充電コネクタ接続装置に適用した場合についても検討した。
【００１４】
具体的には、コンボ方式の充電コネクタ接続装置の第１接続部に、第１可動部を配置し、第２接続部に第２可動部を配置した場合について検討した。
【００１５】
この場合、コンボ方式の充電コネクタ接続装置に、ＡＣ充電コネクタを第１接続部に接続すると、第２接続部が突出部によって閉塞される。しかし、この場合においても、バネの付勢力に抗して、突出部を開けることは可能となる。
【００１６】
また、コンボ方式のＤＣ充電コネクタを充電コネクタ接続装置に接続すると、ＤＣ充電コネクタのＤＣ充電端子部が第２可動部を押すことになり、第１可動部が第１コネクタよりも突出した状態になる。そのため、ＤＣ充電コネクタの通信部を第１コネクタに挿入することができなくなる。
【００１７】
本発明は、上記のような課題に鑑みてなされたものであって、本発明の第１の目的は、第１接続部および第２接続部を含み、第１接続部に挿入される第１充電コネクタと、第１接続部および第２接続部に挿入される第２充電コネクタとの一方が接続される充電コネクタ接続装置において、各充電コネクタを充電コネクタ接続装置に良好に接続することができると共に、第１充電コネクタが接続されたときに、第２接続部を良好に閉塞することができる充電コネクタ接続装置を提供することである。
【００１８】
本発明の第２の目的は、第１接続部および第２接続部を含む充電コネクタ接続装置において、第１接続部や第２接続部の各々に充電コネクタを接続することができると共に、一方の接続部に充電コネクタが接続された際に、他方の接続部の蓋を良好に閉塞させることができる充電コネクタ接続装置を提供することである。
【課題を解決するための手段】
【００１９】
充電コネクタ接続装置は、第１接続部および第２接続部を含み、第１接続部に挿入される第１充電コネクタと、第１接続部および第２接続部に挿入される第２充電コネクタとの一方が接続されるコネクタ接続部と、第２接続部を閉塞する閉塞位置と、第２接続部に第２充電コネクタを接続できるように第２接続部を開放する開放位置との間を移動できるように設けられた蓋と、蓋が閉塞位置と開放位置との間の初期位置に位置するように蓋に付勢力を加える弾性部材と、第１充電コネクタのコネクタ接続部への挿入に伴って移動し、初期位置に位置する蓋を押圧して蓋を閉塞位置に移動させる押圧部材とを備える。そして、上記第１充電コネクタが第１接続部に接続されると、押圧部材は蓋が閉塞位置で維持されるように蓋を支持する。
【００２０】
上記充電コネクタ接続装置によれば、第１充電コネクタが挿入されると、押圧部材が蓋を閉塞位置に移動させることになる。これにより、第１充電コネクタが接続された際に第２接続部が外部に露出することを抑制することができる。また、第２充電コネクタを挿入するときには、蓋を開放位置にした状態で第２充電コネクタを挿入することで、第２充電コネクタを充電コネクタ接続装置に接続することができる。そして、第１接続部に第１充電コネクタが接続された状態においては、蓋が閉塞位置の位置に維持されるように、押圧部材が蓋を押圧するため、仮に、蓋に外力が加えられたとしても、蓋が開くことを抑制することができる。
【００２１】
好ましくは、第２充電コネクタの挿入に伴って移動した押圧部材と、開放位置に位置する蓋とは、互いに離れるように位置する。
【００２２】
上記構成によれば、第２充電コネクタを挿入する際に、蓋を開放位置に位置した状態にすることで、第２充電コネクタが挿入されたときに、押圧部材が移動しても押圧部材が蓋に接触せず、蓋が閉塞位置に向けて移動することを抑制することができ、蓋と第２充電コネクタとが干渉することを抑制することができる。
【００２３】
好ましくは、充電コネクタ接続装置は、上記第１充電コネクタまたは第２充電コネクタが挿入されるコネクタ接続部の正面側と反対側のコネクタ接続部の背面側に設けられたアーム部と、アーム部が揺動するようにアーム部を支持する支持部と、アーム部に設れ、アーム部からコネクタ接続部の背面側から正面側に向けて突出する突出部とをさらに備える。上記押圧部材は、支持部に対して突出部と反対側に設けられる。上記突出部は、コネクタ接続部に挿入される第１充電コネクタまたは第２充電コネクタによって押圧される位置に設けられる。上記アーム部は、突出部が第１充電コネクタまたは第２充電コネクタによって押圧されると押圧部材が背面側から正面側に向かう方向に移動するように回転する。上記押圧部材は、背面側から正面側に向かう方向に移動することで、初期位置に位置する蓋を押圧する。
【００２４】
上記の構成によれば、閉塞位置に位置する蓋は、押圧部材、アーム部および突出部を介して、コネクタ接続部に挿入された充電コネクタによって支持されている。このため、閉塞位置に位置する蓋に外力が加えられたとしても、充電コネクタがコネクタ接続部に挿入されている限り、蓋が開くことが抑制される。
【００２５】
好ましくは、上記蓋は、第２接続部の下端部側に回転するように取り付けられ、初期位置に位置する蓋は、上端部が第２接続部から離れた状態である。
【００２６】
上記の構成によれば、蓋の上端部が開いた状態になるので、第２充電コネクタを挿入する際に、使用者は容易に蓋を開くことができる。
【００２７】
好ましくは、上記蓋は、第２充電コネクタの側面を支持する支持壁を含む。当該構成によれば、第２充電コネクタを挿入しやすくなる。
【００２８】
好ましくは、充電コネクタ接続装置は、上記第１充電コネクタまたは第２充電コネクタがコネクタ接続部に挿入されたことを検知する検知部と、押圧部材を移動させるアクチュエータとをさらに備える。上記コネクタ接続部は、第１充電コネクタまたは第２充電コネクタが挿入される正面と、正面に対して反対側に位置する背面とを含む。上記アクチュエータは、第１充電コネクタまたは第２充電コネクタが挿入されると、押圧部材を背面側から正面側に向けて移動させる。
【００２９】
上記の構成によれば、閉塞位置に位置する蓋は、押圧部材を通してアクチュエータからの駆動力が伝えられており、閉塞位置に位置する蓋に外力が加えられたとしても、蓋が開くことを抑制することができる。
【００３０】
充電コネクタ接続装置は、他の局面において、第１充電コネクタが接続される第１接続部および第２充電コネクタが接続される第２接続部を含むコネクタ接続部と、第２接続部を閉塞する閉塞位置と、第２接続部に充電コネクタを接続できるように第２接続部を開放する開放位置との間を移動できるように設けられた第２接続部用蓋と、第２接続部用蓋が閉塞位置と開放位置との間の初期位置に位置するように第２接続部用蓋に付勢力を加える第２蓋用弾性部材と、第１充電コネクタの第１接続部への挿入に伴って移動し、初期位置に位置する第２接続部用蓋を押圧して第２接続部用蓋を閉塞位置に移動させる第２蓋用押圧部材とを備える。上記第２蓋用押圧部材は、第１充電コネクタが第１接続部に接続されると、閉塞位置に位置する第２接続部用蓋が閉塞位置の位置に維持されるように第２接続部用蓋を支持する。
【００３１】
上記の構成によれば、第１接続部に第１充電コネクタが接続されると、第２接続部用蓋が第２接続部を閉塞する。さらに、第２蓋用押圧部材が閉塞位置に位置する第２接続部用蓋を支持するため、第２接続部用蓋に外力が加えられたとしても、第２接続部用蓋が開くことが抑制される。
【００３２】
好ましくは、充電コネクタ接続装置は、上記第１接続部を閉塞する閉塞位置と、第１接続部に第１充電コネクを接続できるように第１接続部を開放する開放位置との間を移動できるように設けられた第１接続部用蓋と、第１接続部用蓋が第１接続部用蓋の閉塞位置と第１接続部用蓋の開放位置との間に位置する初期位置に位置するように第１接続部用蓋に付勢力を加える第１蓋用弾性部材と、第２充電コネクタの第２接続部への挿入に伴って移動し、第１接続部用蓋の開放位置に位置する第１接続部用蓋を押圧して、第１接続部用蓋を第１接続部用蓋の閉塞位置に移動させる第１蓋用押圧部材とをさらに備える。上記第１蓋用押圧部材は第２充電コネクタが第２接続部に接続されると、第１接続部用蓋の閉塞位置に位置する第１接続部用蓋が、第１接続部用蓋の閉塞位置の位置に維持されるように、第１接続部用蓋を支持する。
【００３３】
上記の構成によれば、第２接続部に第２充電コネクタが接続された時に、第１接続部用蓋が第１接続部を閉塞する。さらに、第１蓋用押圧部材が第１接続部用蓋が閉塞位置に位置するように支持するため、第１接続部用蓋に外力が加えられたとしても、第１接続部用蓋が開くことが抑制されている。
【発明の効果】
【００３４】
本発明に係る充電コネクタ接続装置によれば、充電コネクタを充電コネクタ接続装置に良好に接続することができると共に、第１充電コネクタが接続されたときに、第２接続部を良好に閉塞することができる。
【図面の簡単な説明】
【００３５】
【図１】車両１のシステム構成を示すブロック図である。
【図２】車両１の側面図である。
【図３】充電コネクタ接続装置２０を示す斜視図である。
【図４】コネクタ接続部３５を示す正面図である。
【図５】蓋３７などを省略した接続部４０の側面図である。
【図６】蓋３６の開閉状態を示す側面図である。
【図７】ＤＣ充電コネクタ３０を示す斜視図である。
【図８】ＡＣ充電コネクタ３１を示す斜視図である。
【図９】ＡＣ充電コネクタ３１を充電コネクタ接続装置２０に挿入する前の状態を示す側面図である。
【図１０】ＡＣ充電コネクタ３１を充電コネクタ接続装置２０に挿入し始めた状態を示す側面図である。
【図１１】ＡＣ充電コネクタ３１の充電コネクタ接続装置２０への挿入が完了した状態を示す側面図である。
【図１２】ＤＣ充電コネクタ３０を充電コネクタ接続装置２０に挿入する前の状態を示す側面図である。
【図１３】ＤＣ充電コネクタ３０で蓋３６を開き始めた状態を示す側面図である。
【図１４】ＤＣ充電コネクタ３０で蓋３６を開けた状態を示す側面図である。
【図１５】ＤＣ充電コネクタ３０を接続部４０に挿入し始めた状態を示す側面図である。
【図１６】ＤＣ充電コネクタ３０の接続部４０への挿入が完了した状態を示す側面図である。
【図１７】コネクタ接続部３５の接続部４１を閉塞する蓋３６の変形例を示す斜視図である。
【図１８】コネクタ接続部３５の変形例を模式的に示す側面図である。
【図１９】ＤＣ充電コネクタ３０の変形例を示す斜視図である。
【図２０】充電コネクタ接続装置１５０を示す正面図である。
【図２１】充電コネクタ接続装置１５０を上方から視たときの上面図である。
【図２２】図２１から蓋押圧機構１８１を省略したときの充電コネクタ接続装置１５０の上面図である。
【図２３】各蓋の開閉状態を示す上面図である。
【図２４】ＡＣ充電コネクタ１７５で蓋１７０を開放位置２１１まで押し開けた状態を示す上面図である。
【図２５】ＡＣ充電コネクタ１７５を接続部１５３に接続した状態を示す上面図である。
【図２６】ＤＣ充電コネクタ１７６で蓋１７１を開放位置２１３まで押し開けた状態を示す上面図である。
【図２７】ＤＣ充電コネクタ１７６を接続部１５２に接続した状態を示す上面図である。
【発明を実施するための形態】
【００３６】
（実施の形態１）
図１から図１９を用いて、本実施の形態１に係る充電コネクタ接続装置を含む車両について説明する。
【００３７】
車両１は、車輪１６の駆動力を発生するＨＶシステム２と、外部からの電力でバッテリ９を充電する充電システム３と、ＨＶシステム２および充電システム３などを制御するＥＣＵ４とを備える。
【００３８】
ＨＶシステム２は、バッテリ９に接続されたシステムメインリレー１０と、ＰＣＵ（Ｐｏｗｅｒ Ｃｏｎｔｒｏｌ Ｕｎｉｔ）１１と、ＰＣＵ１１に接続された回転電機１２および回転電機１３と、動力分割機構１４と、エンジン１５とを含む。
【００３９】
充電システム３は、充電コネクタ接続装置２０と、充電器２１と、ＡＣ充電リレー２２と、ＤＣ充電リレー２３と、電圧センサ２４と、プルアップ電源２５と、抵抗２６と、電圧センサ２７とを含む。充電コネクタ接続装置２０には、ＤＣ充電コネクタ３０またはＡＣ充電コネクタ３１が接続される。
【００４０】
充電器２１は、電力線ＰＬ１および電力線ＰＬ２によって、バッテリ９に接続されている。ＡＣ充電リレー２２は、電力線ＰＬ１，ＰＬ２に設けられている。充電器２１は、ＰＬ３および電力線ＰＬ４によって充電コネクタ接続装置２０に接続されている。
【００４１】
ＤＣ充電リレー２３は、電力線ＰＬ１，ＰＬ２から分岐する電力線ＰＬ５，ＰＬ６に設けられており、電力線ＰＬ５，ＰＬ６は、充電コネクタ接続装置２０に接続されている。電圧センサ２７は、ＤＣ充電リレー２３と充電コネクタ接続装置２０との間に位置する電力線ＰＬ５，ＰＬ６に接続されている。
【００４２】
プルアップ電源２５には所定電圧が印加されており、抵抗２６は充電コネクタ接続装置２０とプルアップ電源２５との間に設けられている。なお、抵抗２６の一端には、プルアップ電源２５が接続され、抵抗２６の他端には、充電コネクタ接続装置２０に接続された信号線ＳＬが接続されている。電圧センサ２４は、抵抗２６と充電コネクタ接続装置２０との間の信号線ＳＬの電圧を測定する。なお、充電コネクタ接続装置２０には、グランド線ＧＬが接続されている。
【００４３】
図２は、車両１の側面図であり、この図２に示すように、車両１の側面３２には、蓋３３が設けられ、この蓋３３が開けられることで充電コネクタ接続装置２０が外部に開放される。
【００４４】
図３は、充電コネクタ接続装置２０を示す斜視図である。充電コネクタ接続装置２０は、基板３４と、基板３４の正面から突出するように設けられたコネクタ接続部３５と、蓋３６と、蓋３７と、蓋３７を係止する止め具３８と、止め具３９と、弾性部材５６とを含む。
【００４５】
コネクタ接続部３５は、複数の端子穴が形成された接続部４０と、接続部４０の下方に設けられ、複数の端子穴が形成された接続部４１と、接続部４０および接続部４１の周囲を取り囲むように設けられた案内壁４２とを含む。止め具３９は、案内壁４２の上端部に設けられている。
【００４６】
図４は、コネクタ接続部３５を示す正面図であり、接続部４０は、複数の端子穴４３ａ〜４３ｅが形成された柱状の本体部４４と、端子穴４３ａ内に設けられた電力端子４５と、端子穴４３ｂ内に設けられた電力端子４６と、端子穴４３ｃ内に設けられたグランド端子４７と、端子穴４３ｄ内に設けられた信号端子４８と、端子穴４３ｅ内に設けられた信号端子４９とを含む。なお、電力端子４５は、電力線ＰＬ３に接続され、電力端子４６は、電力線ＰＬ４に接続される。
【００４７】
接続部４１は、接続部４０に対して下方に設けられている。接続部４１は、複数の端子穴５０ａ，５０ｂが形成された柱状の本体部５１と、端子穴５０ａ内に設けられた電力端子５２と、端子穴５０ｂ内に設けられた電力端子５３とを含む。なお、電力端子５２は電力線ＰＬ５に接続され、電力端子５３は電力線ＰＬ６に接続されている。
【００４８】
案内壁４２は、本体部４４の周囲を間隔をあけて取り囲むように設けられた壁６０と、本体部５１の周囲を間隔をあけて取り囲むように設けられた壁６１と、壁６０および壁６１を接続する連結部６２とを含む。
【００４９】
壁６０と本体部４４との間には溝６３が形成され、壁６１と本体部５１との間には溝６４が形成されている。そして、溝６３と溝６４とは、連結部６２に形成された連結溝６５によって連結されている。
【００５０】
図３において、蓋３６は、接続部４１の下端部側に設けられ、壁６１の下端部に回転可能に取り付けられている。なお、図３に示す状態は、蓋３６は、接続部４１に後述するＤＣ充電コネクタ３０を接続することができる開放位置に位置している。
【００５１】
蓋３６は、蓋本体５７と、蓋本体５７の端部に形成され、蓋本体５７に対して屈曲するように形成された折曲部５８とを含む。蓋本体５７には、突出部５５ａ，５５ｂが形成されており、突出部５５ａ，５５ｂは、壁６１の下端部に形成された支持部５４ａ，５４ｂに回転可能に取り付けられている。
【００５２】
蓋３６の蓋本体５７は、支持部５４ａ，５４ｂを中心として回転して、接続部４１を閉塞することができる。具体的には、壁６１の開口部を閉塞して、接続部４１にＤＣ充電コネクタ３０を接続できない状態にすることができる。
【００５３】
弾性部材５６は、蓋３６の姿勢が所定姿勢で維持されるように蓋３６に付勢力を加えている。なお、蓋３６の姿勢の詳細については、後述する。
【００５４】
図５は、蓋３７などを省略した接続部４０の側面図である。この図５に示すように、充電コネクタ接続装置２０は、コネクタ接続部３５の正面６６側からＤＣ充電コネクタ３０またはＡＣ充電コネクタ３１が挿入される。
【００５５】
基板３４には、背面から正面に達する貫通孔６８と、コネクタ接続部３５よりも下方に位置する貫通孔６９とが形成されている。貫通孔６８は、連結溝６５に連通している。
【００５６】
充電コネクタ接続装置２０は、コネクタ接続部３５の背面６７側に設けられた蓋押圧機構７０を含む。蓋押圧機構７０は、背面６７側に設けられたアーム部７１と、アーム部７１を揺動できるように支持する支持部材７２と、アーム部７１の上端部側に設けられた突出ピン７３と、突出ピン７３をアーム部７１に対して回転できるように取り付けるヒンジ７４と、アーム部７１の下端部に設けられた押圧部材７５と、アーム部７１に対して押圧部材７５を回転可能に支持するヒンジ７４を含む。なお、押圧部材７５は、支持部材７２を基準として、突出ピン７３と反対側に位置する。
【００５７】
突出ピン７３は、貫通孔６８内を通り、連結溝６５内に入り込んでいる。押圧部材７５は、貫通孔６９内を通り、基板３４を貫通している。
【００５８】
図６は、蓋３６の開閉状態を示す側面図である。この図６において、「７７」は、蓋３６が接続部４１を閉塞する閉塞位置を示す。「７８」は、蓋３６が接続部４１を外部に開放する開放位置を示す。「７９」は、蓋３６に弾性部材５６からの付勢力以外の外力が加えられていないときに蓋３６が位置する初期位置を示す。
【００５９】
このように、蓋３６は、閉塞位置７７と開放位置７８との間を移動可能に設けられており、蓋３６の初期位置７９は、閉塞位置７７と開放位置７８との間に位置している。なお、この図６に示す例においては、初期位置７９は、開放位置７８側よりも閉塞位置７７側に近い位置である。蓋３６は、接続部４１の下端部側で支持されているため、蓋３６が初期位置７９に位置しているときには、蓋３６の上端部側は接続部４１から離れた状態になっている。なお、弾性部材５６は、蓋３６に弾性部材５６からの付勢力以外の外力が加えられていないときに、蓋３６が初期位置７９に位置するように付勢力を蓋３６に加えている。
【００６０】
図７は、ＤＣ充電コネクタ３０を示す斜視図である。この図７に示すように、ＤＣ充電コネクタ３０は、コネクタケース９５と、コネクタケース９５の先端部に設けられた案内壁９０、接続部９１、接続部９２および爪部９３と、コネクタケース９５の上面に設けられた操作部９４と、コネクタケース９５内に設けられた抵抗９６とを含む。
【００６１】
操作部９４は、使用者によって操作される部材であって、たとえば、操作部９４が使用者によって押されると、爪部９３が跳ね上がり、爪部９３を図３に示す止め具３９に引っ掛けることができるようになる。
【００６２】
案内壁９０は、複数の端子の周囲を取り囲む筒部８７と、複数の端子の周囲を取り囲む筒部８８と、筒部８７および筒部８８を接続する連結部８９とを含む。接続部９１は、前方にむけて開口する筒部８７と、筒部８７内に設けられた端子８０、端子８１、接地端子８２、信号端子８３、および信号端子８４とを含む。抵抗９６の一端は、接地端子８２に接続され、抵抗９６の他端は信号端子８４に接続されている。
【００６３】
接続部９２は、前方に向けて開口する筒部８８と、筒部８８内に設けられたＤＣ電力端子８５およびＤＣ電力端子８６とを含む。ＤＣ電力端子８５には、電力線９７が接続され、ＤＣ電力端子８６には電力線９８が接続されている。なお、電力線９７，９８は、ＤＣ電源に接続されている。
【００６４】
ＤＣ充電コネクタ３０が図３および図４に示すコネクタ接続部３５に接続されると、接続部９１は、接続部４０に接続され、接続部９２は、接続部４１に接続される。
【００６５】
接続部９１が接続部４０に接続されると、端子８０は、電力端子４５に接続され、端子８１は、電力端子４６に接続される。接地端子８２は、グランド端子４７に接続される。信号端子８３は、信号端子４８に接続され、信号端子８４は、信号端子４９に接続される。
【００６６】
信号端子８４が信号端子４９に接続され、接地端子８２がグランド端子４７に接続されると、図１において、抵抗９６の一端がグランド線ＧＬに接続され、抵抗９６の他方端が信号線ＳＬに接続されることになる。
【００６７】
図７において、接続部９２が図４に示す接続部４１に接続されると、ＤＣ電力端子８５が電力端子５２に接続され、ＤＣ電力端子８６が電力端子５３に接続される。これにより、図１において、電力線９７が電力線ＰＬ５に接続され、電力線９８が電力線ＰＬ６に接続される。
【００６８】
また、図７に示すＤＣ充電コネクタ３０が図４に示すコネクタ接続部３５に接続されると、筒部８７が溝６３内に入り込み、筒部８８が溝６４内に入り込む。そして、連結部８９が連結溝６５内に入り込む。連結部８９が連結溝６５内に入り込むと、連結溝６５内に位置する突出ピン７３が連結部８９によって押圧される。
【００６９】
図８は、ＡＣ充電コネクタ３１を示す斜視図である。この図８に示すように、充電コネクタ接続装置２０は、ケース本体１００と、ケース本体１００の先端面に設けられた接続部１０１、案内壁１０２および爪部１０３と、ケース本体１００の上面に設けられた操作部１１２と、ケース本体１００内に設けられた抵抗１０４とを含む。
【００７０】
案内壁１０２は、複数の端子の周囲を取り囲み、前方が開口する筒部１１０と、筒部１１０の下端部に設けられた突起部１１１とを含む。
【００７１】
接続部１０１は、筒部１１０と、筒部１１０内に設けられたＡＣ電力端子１０５、ＡＣ電力端子１０６、接地端子１０７、信号端子１０８および信号端子１０９とを含む。
【００７２】
抵抗１０４の一端は、接地端子１０７に接続され、抵抗１０４の他方端は信号端子１０９に接続されている。ＡＣ電力端子１０５には、電力線１１３が接続され、ＡＣ電力端子１０６には、電力線１１４が接続されている。
【００７３】
ＡＣ充電コネクタ３１が、図３および図４に示す接続部４０に接続されると、ＡＣ電力端子１０５が電力端子４５に接続され、ＡＣ電力端子１０６が電力端子４６に接続される。接地端子１０７は、グランド端子４７に接続される。信号端子１０８は、信号端子４８に接続され、信号端子１０９は、信号端子４９に接続される。
【００７４】
接地端子１０７がグランド端子４７に接続され、信号端子１０９が信号端子４９に接続されることで、図１において、抵抗１０４の一端が信号線ＳＬに接続され、抵抗１０４の他方端がグランド線ＧＬに接続される。
【００７５】
ＡＣ電力端子１０５が電力端子４５に接続され、ＡＣ電力端子１０６が電力端子４６に接続されると、電力線１１３が電力線ＰＬ３に接続され、電力線１１４が電力線ＰＬ４に接続される。
【００７６】
また、接続部１０１が接続部４０に接続されると、筒部１１０は、溝６３内に挿入され、突起部１１１は、連結溝６５内に挿入される。これにより、連結溝６５内に位置する突出ピン７３が突起部１１１によって押圧される。
【００７７】
なお、ＡＣ充電コネクタ３１は、図４および図３に示す接続部４１に接続される部材を備えていない。
【００７８】
充電コネクタ接続装置２０にＡＣ充電コネクタ３１を接続すると、接続部４１が外方に露出した状態になる。仮に、ＤＣ充電リレー２３が両極熔着しているときには、電力端子５２および電力端子５３に電圧が印加された状態になる。
【００７９】
そこで、本実施の形態に係る車両１（充電コネクタ接続装置２０）においては、充電コネクタ接続装置２０にＡＣ充電コネクタ３１が接続された場合には、蓋３６で接続部４１を閉塞する。さらに、蓋３６が閉塞した状態で、仮に、使用者の誤操作によって、蓋３６に外力が加えられたとしても、蓋３６が開くことが抑制されている。また、充電コネクタ接続装置２０にＤＣ充電コネクタ３０が接続されたときには、蓋３６が開放位置に位置し、ＤＣ充電コネクタ３０を良好に接続できるようになっている。
【００８０】
次に、図９などを用いて、上記の充電コネクタ接続装置２０の作用および効果について詳細に説明する。
【００８１】
図９から図１１は、充電コネクタ接続装置２０にＡＣ充電コネクタ３１を接続するときの操作手順を示す。図９に示す状態においては、図３に示す蓋３７は開けられた状態であり、ＡＣ充電コネクタ３１の接続部１０１は、接続部４０から離れた状態である。
【００８２】
このため、突出ピン７３は、接続部１０１によって押圧されておらず、蓋３６には弾性部材５６からの付勢力以外の外力が加えられていない。
【００８３】
次に、図１０に示すように、コネクタ接続部３５に接続部１０１の一部を挿入すると、接続部１０１が突出ピン７３を押圧し始める。そして、接続部１０１の挿入に伴って、突出ピン７３は、正面６６側から背面６７側に向かう方向に移動する。
【００８４】
突出ピン７３が上記のように移動すると、アーム部７１が支持部材７２を中心として回転する。アーム部７１が回転すると、アーム部７１の上端部は、基板３４から離れ、アーム部７１の下端部は基板３４に近接する。
【００８５】
アーム部７１の下端部が基板３４に近接すると、アーム部７１の下端部側に取り付けられた押圧部材７５が、コネクタ接続部３５の背面６７側から正面６６側に向かう方向に移動する。
【００８６】
押圧部材７５が上記のように移動することで、押圧部材７５の先端部が蓋３６の折曲部５８の端部に近接する。
【００８７】
接続部１０１の挿入長さが所定長さになると、押圧部材７５の先端部が折曲部５８の端部に接触する。
【００８８】
そして、接続部１０１がさらに挿入されると、当該挿入に伴って、押圧部材７５が蓋３６を押圧して、蓋３６が回転する。このため、図１０に示す蓋３６は、図９に示す初期位置７９から閉塞位置に向けて回転している。
【００８９】
図１１は、ＡＣ充電コネクタ３１の充電コネクタ接続装置２０への挿入が完了し、ＡＣ充電コネクタ３１が接続部４０に接続された状態を状態を示す。この図１１に示すように、ＡＣ充電コネクタ３１が接続部４０に接続された状態においては、爪部１０３が止め具３９に係り止められる。このように、ＡＣ充電コネクタ３１が接続部４０に接続された状態においては、ＡＣ充電コネクタ３１に外力が加えられたとしても、ＡＣ充電コネクタ３１が接続部４０から外れることが抑制されている。そして、ＡＣ充電コネクタ３１が接続部４０に接続された状態においては、蓋３６は、閉塞位置７７に位置しており、接続部４１は、蓋３６によって閉塞されている。
【００９０】
ここで、図１１に示す状態において、蓋３６は、押圧部材７５によって押圧されており、押圧部材７５は、アーム部７１および突出ピン７３を通して、ＡＣ充電コネクタ３１によって支持されている。このため、ＡＣ充電コネクタ３１が接続部４０に接続されている限り、蓋３６に外力が加えられたとしても、蓋３６が開くことを抑制することができる。
【００９１】
特に、図１１に示す例においては、接続部１０１の挿入が完了した状態では、爪部１０３が止め具３９と係合している。このため、図１１に示す状態で蓋３６に外力が加えられたとしても、接続部１０１が動くことが抑制されており、蓋３６が開くことを抑制することができる。
【００９２】
これにより、使用者がＡＣ充電コネクタ３１を充電コネクタ接続装置２０に接続する過程において、蓋３６が接続部４１を閉塞するので、使用者の手などが接続部４１に触れることを抑制することができる。
【００９３】
ここで、図１において、ＡＣ充電コネクタ３１が充電コネクタ接続装置２０に接続されると、抵抗１０４が信号線ＳＬおよびグランド線ＧＬに接続される。プルアップ電源２５には所定電圧が印加されており、抵抗１０４が接続されることで、電圧センサ２４が検知する電圧が変動する。
【００９４】
そして、抵抗１０４の抵抗値と、抵抗９６の抵抗値とは異なっており、ＤＣ充電コネクタ３０が接続されたときに電圧センサ２４が検知する電圧値と、ＡＣ充電コネクタ３１が接続されたときに電圧センサ２４が検知する電圧値とは異なる。これにより、ＥＣＵ４は、充電コネクタ接続装置２０にＤＣ充電コネクタ３０が接続されたのか、ＡＣ充電コネクタ３１が接続されたのかを検知することができる。
【００９５】
ＥＣＵ４は、充電コネクタ接続装置２０にＡＣ充電コネクタ３１が接続された状態で、ＡＣ充電リレー２２の熔着チェックを実施する。
【００９６】
この際、ＤＣ充電リレー２３が両極熔着しているとすると、バッテリ９からの電圧が図４に示す電力端子５２，５３に印加されることになるが、図１１に示すように、蓋３６が接続部４１を閉塞するため、電圧が印加された状態の電力端子５２，５３が外部に露出することが抑制されている。
【００９７】
次に、図１２などを用いて、ＤＣ充電コネクタ３０をコネクタ接続部３５に接続する場合について説明する。
【００９８】
図１２に示す状態においては、ＤＣ充電コネクタ３０の接続部９１，９２は、コネクタ接続部３５から離れている。このため、蓋３６は、初期位置７９に位置している。このため、蓋３６の上端部は、コネクタ接続部３５の正面６６から離れている。
【００９９】
図１３を参酌して、使用者はＤＣ充電コネクタ３０で蓋３６を下方に押圧している。蓋３６は、ＤＣ充電コネクタ３０で押圧されることで、初期位置７９から開放位置７８に向けて少し回転している。
【０１００】
図１４を参酌して、使用者は、図１３に示す状態から、さらに、ＤＣ充電コネクタ３０を下方に移動させ、蓋３６を開放位置７８に向けて回転させている。
【０１０１】
図１５を参酌して、蓋３６は、開放位置７８に位置している。そして、使用者は、接続部９１を接続部４０に挿入すると共に、接続部９２を接続部４１に挿入している。これにより、突出ピン７３が正面６６側から背面６７側に向かうように移動している。
【０１０２】
突出ピン７３が上記のように移動することで、アーム部７１が回転する。アーム部７１の上端部は基板３４から離れるように移動し、アーム部７１の下端部は基板３４に近接するように移動する。これにより、押圧部材７５が、背面６７側から正面６６側に向かう方向に移動する。
【０１０３】
ここで、開放位置７８に位置する蓋３６と、正面６６側に移動した押圧部材７５とは、互いに離れている。すなわち、ＤＣ充電コネクタ３０が接続部４０および接続部４１に接続されたとしても、予め、蓋３６が開放位置７８に位置しているため、蓋３６が押圧部材７５によって押圧されることがない。その結果、ＤＣ充電コネクタ３０をコネクタ接続部３５に接続しても、蓋３６が閉塞位置７７に向けて回転し、蓋３６とＤＣ充電コネクタ３０とが干渉することが抑制されている。
【０１０４】
そして、図１６に示すように、接続部９１が接続部４０に接続され、接続部９２が接続部４１に接続される。ここで、ＤＣ充電コネクタ３０が接続部４０および接続部４１に接続された状態においては、爪部１０３が止め具３９に係り止められた状態になる。このように、ＤＣ充電コネクタ３０が接続部４０に接続された状態においては、ＤＣ充電コネクタ３０に外力が加えられたとしても、ＤＣ充電コネクタ３０が接続部４０から外れることが抑制されている。
【０１０５】
図１において、ＤＣ充電コネクタ３０が充電コネクタ接続装置２０に接続されると、抵抗９６が信号線ＳＬとグランド線ＧＬとに接続される。抵抗９６が接続されると、信号線ＳＬの電圧が変化し、電圧センサ２４が抵抗９６が接続された後の信号線ＳＬの電圧を検知する。ＥＣＵ４は、電圧センサ２４が検知した電圧値によって、充電コネクタ接続装置２０にＤＣ充電コネクタ３０が接続されたことを検知する。
【０１０６】
ＥＣＵ４は、ＤＣ充電コネクタ３０が接続されたと判断すると、ＤＣ充電リレー２３をＯＮにする。その後、ＤＣ充電コネクタ３０から直流電力が供給され、バッテリ９に電力が供給される。
【０１０７】
たとえば、ＥＣＵ４は、充電が完了した後、ＤＣ充電コネクタ３０が接続された状態で、ＤＣ充電リレー２３の熔着チェックを実施する。この際、充電コネクタ接続装置２０の接続部４０は、ＤＣ充電コネクタ３０の接続部９１によって閉塞されており、接続部９２は接続部４１によって閉塞されており、熔着チェック中に接続部４０，４１が外部に露出することが抑制されている。
【０１０８】
図１７は、コネクタ接続部３５の接続部４１を閉塞する蓋３６の変形例を示す斜視図である。この図１７に示すように、蓋３６は、蓋本体５７と、折曲部５８と、支持壁１２０，１２１とを含む。
【０１０９】
支持壁１２０は、蓋本体５７の一方の側辺部に形成されており、支持壁１２１は、蓋本体５７の他方の側辺部に形成されている。支持壁１２０および支持壁１２１は、図１４から図１６に示すように、ＤＣ充電コネクタ３０が蓋３６上に載せられたときに、ＤＣ充電コネクタ３０の側面を支持する。これにより、ＤＣ充電コネクタ３０をコネクタ接続部３５に挿入する際の位置合わせが容易になる。
【０１１０】
図１８は、コネクタ接続部３５の変形例を模式的に示す側面図である。なお、図１８において、図５に示す構成と同じ構成については、同一の符号を付してその説明を省略する場合がある。
【０１１１】
図１８に示す充電コネクタ接続装置２０Ａは、連結溝６５内に設けられた突出ピン７３と、この突出ピン７３の移動を許容しつつ、突出ピン７３の移動を検知する検知センサ１３０と、押圧部材７５を移動させるアクチュエータ１３１とを含む。
【０１１２】
検知センサ１３０およびアクチュエータ１３１は、コネクタ接続部３５の背面６７側に配置されている。
【０１１３】
この充電コネクタ接続装置２０Ａにおいては、コネクタ接続部３５にＤＣ充電コネクタ３０またはＡＣ充電コネクタ３１が挿入されると、押圧部材７５が正面６６側から背面６７側に向けて移動する。検知センサ１３０は、突出ピン７３の移動を検知する。ＥＣＵ４は、突出ピン７３の移動を検知すると、アクチュエータ１３１を駆動する。
【０１１４】
アクチュエータ１３１は、押圧部材７５が背面６７側から正面６６側に向けて移動するように、押圧部材７５を移動させる。この際、コネクタ接続部３５にＡＣ充電コネクタ３１が接続されている場合には、押圧部材７５は、蓋３６を押圧して、蓋３６は閉塞位置に移動する。
【０１１５】
この充電コネクタ接続装置２０Ａにおいても、アクチュエータ１３１が押圧部材７５を支持しており、蓋３６は、この押圧部材７５によって支持される。このため、閉塞位置７７に位置する蓋３６に外力が加えられたとしても、蓋３６が開くことを抑制することができる。
【０１１６】
その一方で、コネクタ接続部３５にＤＣ充電コネクタ３０が接続されている場合には、蓋３６は、開放位置７８に位置しているため、蓋３６が移動しても蓋３６と接触しない。
【０１１７】
なお、上記の実施の形態に係るコネクタ接続部３５、ＤＣ充電コネクタ３０およびＡＣ充電コネクタ３１によれば、コネクタ接続部３５にＤＣ充電コネクタ３０が接続された場合、ＡＣ充電コネクタ３１が接続された場合のいずれの場合においても、押圧部材７５が移動するように構成されている。しかし、上記のように構成することは必須の構成ではなく、ＤＣ充電コネクタ３０が接続された場合においてのみ、コネクタ接続部３５を移動させるようにしてもよい。
【０１１８】
たとえば、図１９に示すＤＣ充電コネクタ３０Ａにおいては、連結部８９Ａの長さは、図８に示す突起部１１１の長さよりも短くなるように形成されている。
【０１１９】
そして、ＤＣ充電コネクタ３０Ａが図５に示す充電コネクタ接続装置２０に接続されたとき、連結部８９Ａは、突出ピン７３を押圧しない。このため、ＤＣ充電コネクタ３０Ａが接続されたときに、押圧部材７５は移動しない。その一方で、ＡＣ充電コネクタ３１が充電コネクタ接続装置２０に接続されると、押圧部材７５が移動する。そして、蓋３６が閉塞位置７７に移動する。
【０１２０】
このように、充電コネクタ接続装置２０にＡＣ充電コネクタ３１が接続されたときのみに、押圧部材７５を移動させるようにしてもよい。
（実施の形態２）
図２０から図２７を用いて、本実施の形態２に係る充電コネクタ接続装置１５０について説明する。
【０１２１】
図２０は、充電コネクタ接続装置１５０を示す正面図である。この図２０に示すように、充電コネクタ接続装置１５０は、基板１５１と、この基板１５１の表面に設けられた接続部１５２と、接続部１５２から間隔をあけて基板１５１の表面に設けられた接続部１５３とを含む。接続部１５２には、ＤＣ充電コネクタが接続され、接続部１５３には、ＡＣ充電コネクタが接続される。なお、この図２０に示す例においては、接続部１５２には、チャデモ方式のＤＣ充電コネクタが接続される。
【０１２２】
接続部１５２は、筒状に形成された案内壁１５４と、この案内壁１５４内に設けられた電力端子１５５，１５６と、案内壁１５４内に設けられた通信端子１５７，１５８と、案内壁１５４の上端部に設けられた止め具１５９と、案内壁１５４の側面に回転できるように設けられた蓋１７０とを含む。
【０１２３】
接続部１５３は、筒状に形成された案内壁１６０と、この案内壁１６０内に配置されると共に複数の端子穴が形成された本体部１６１と、本体部１６１の端子穴に設けられた電力端子１６２，１６３と、本体部１６１の端子穴に設けられた接地端子１６４と、本体部１６１の端子穴に設けられた信号端子１６５，１６６と、案内壁１６０の上端部に設けられた止め具１６９と、案内壁１５４の側面に回転できるように設けられた蓋１７１とを含む。
【０１２４】
図２１は、充電コネクタ接続装置１５０を上方から視たときの上面図である。この図２１を参照して、接続部１５２の正面１７３側からＤＣ充電コネクタ１７６が接続され、接続部１５３の正面１７４側からＡＣ充電コネクタ１７５が接続される。
【０１２５】
充電コネクタ接続装置１５０は、蓋１７０に設けられた弾性部材１８８と、蓋１７１に設けられた弾性部材１８９と、接続部１５３に設けられた蓋１７０を押圧する蓋押圧機構１８１と、接続部１５２に設けられた蓋１７１を押圧する蓋押圧機構１８０とを含む。蓋押圧機構１８０および蓋押圧機構１８１は、接続部１５２，１５３の背面側に設けられている。
【０１２６】
蓋押圧機構１８０および蓋押圧機構１８１は、上下方向に互いに重なるように設けられており、蓋押圧機構１８１は、蓋押圧機構１８０の上方に設けられている。
【０１２７】
蓋押圧機構１８１は、基板１５１の背面側に設けられたアーム部１８２と、アーム部１８２が揺動できるように基板１５１に取り付ける支持部材１８３と、支持部材１８３の一端に設けられた突出ピン１８６と、突出ピン１８６をアーム部１８２の一端に取り付けるヒンジ１８７と、アーム部１８２の他端に設けられた押圧部材１８４と、押圧部材１８４をアーム部１８２の他端に取り付けるヒンジ１８５とを含む。
【０１２８】
突出ピン１８６は、基板１５１に形成された貫通孔１９０を通り、案内壁１５４内に突出する。押圧部材１８４は、基板１５１に形成された貫通孔１９１を通り、基板１５１の表面から突出する。
【０１２９】
蓋１７０は、案内壁１６０の側面に回転するように設けられており、蓋１７０は、蓋本体１９４と、蓋本体１９４の一端に設けられると共に蓋本体１９４から屈曲するように形成された屈曲部１９５とを含む。蓋押圧機構１８１の押圧部材１８４は、屈曲部１９５の近傍に設けられている。
【０１３０】
図２２は、図２１から蓋押圧機構１８１を省略したときの充電コネクタ接続装置１５０の上面図である。この図２２に示すように、蓋押圧機構１８０は、基板１５１の背面側に設けられたアーム２００と、アーム２００を基板１５１に揺動できるように取り付ける支持部材２０１と、アーム２００の一端に設けられた押圧部材２０２と、押圧部材２０２をアーム２００の一端に取り付けるヒンジ２０３と、アーム２００の他端に設けられた突出ピン２０４と、アーム２００の他端に突出ピン２０４を取り付けるヒンジ２０５とを含む。
【０１３１】
押圧部材２０２は、基板１５１に形成された貫通孔１９２を通って、基板１５１の表面から突出するように設けられている。突出ピン２０４は、基板１５１に形成された貫通孔１９３を通り、案内壁１６０内に突出するように設けられている。
【０１３２】
蓋１７１は、蓋本体１９６と、蓋本体１９６の端部に形成されると共に蓋本体１９６の端部から屈曲するように形成された屈曲部１９７とを含む。
【０１３３】
押圧部材２０２は、屈曲部１９７の近傍に位置している。
図２３は、各蓋の開閉状態を示す上面図である。この図２３に示すように、蓋１７０は、接続部１５３を閉塞する閉塞位置２１０と、接続部１５３を外部に開放する開放位置２１１との間を移動できるように、案内壁１６０の側面に設けられている。蓋１７０が開放位置２１１に位置しているときには、ＡＣ充電コネクタ１７５を接続部１５３に接続することができる。弾性部材１８８は蓋１７０が初期位置２１４に位置するように蓋１７０に付勢力を加えており、初期位置２１４は、閉塞位置２１０と開放位置２１１との間に位置している。なお、初期位置２１４の位置は、閉塞位置２１０と開放位置２１１との間であって、開放位置２１１よりも閉塞位置２１０に近い方が好ましい。
【０１３４】
蓋１７１は、接続部１５２を閉塞する閉塞位置２１２と、接続部１５２を外部に開放する開放位置２１３との間を移動できるように、案内壁１５４の側面に設けられている。蓋１７１が開放位置２１３に位置しているときには、ＤＣ充電コネクタ１７６を接続部１５２に接続することができる。弾性部材１８９は、蓋１７１が初期位置２１５に位置するように付勢力を蓋１７１に付勢している。
【０１３５】
初期位置２１５は、閉塞位置２１２と開放位置２１３との間に位置している。初期位置２１５は、開放位置２１３よりも閉塞位置２１２に近い方が好ましい。
【０１３６】
上記のように構成された充電コネクタ接続装置１５０にＡＣ充電コネクタ１７５やＤＣ充電コネクタ１７６を接続する場合について説明する。
【０１３７】
図２４に示すように、ＡＣ充電コネクタ１７５を接続する際には、まず、初期位置２１４に位置する蓋１７０をＡＣ充電コネクタ１７５で押し開ける。そして、蓋１７０を開放位置２１１に位置させる。
【０１３８】
次に、図２５に示すように、ＡＣ充電コネクタ１７５を接続部１５３に挿入する。ＡＣ充電コネクタ１７５を接続部１５３に挿入すると、突出ピン２０４がＡＣ充電コネクタ１７５によって押される。突出ピン２０４が押されると、アーム２００が回転して、押圧部材２０２が突出する。具体的には、押圧部材２０２は、基板１５１の背面側から表面側に向けて突出する。押圧部材２０２が突出すると、押圧部材２０２の端部が蓋１７１の端部と接触する。
【０１３９】
そして、ＡＣ充電コネクタ１７５の挿入に伴って、押圧部材２０２が蓋１７１を押圧し、ＡＣ充電コネクタ１７５が接続部１５３に接続されると、蓋１７１が閉塞位置２１２に位置する。なお、ＡＣ充電コネクタ１７５に設けられた爪部が、止め具１５９に係止されることで、ＡＣ充電コネクタ１７５が接続部１５３に接続される。
【０１４０】
このように、ＡＣ充電コネクタ１７５が接続部１５３に接続される際には、ＤＣ充電コネクタ１７６は、蓋１７１によって閉塞されるため、ＡＣ充電コネクタ１７５が接続された際に、ＤＣ充電コネクタ１７６が接続されることを抑制することができる。
【０１４１】
また、ＡＣ充電コネクタ１７５が接続部１５３に接続された状態においては、押圧部材２０２は、蓋１７１が閉塞位置２１２に位置し続けるように、蓋１７１を支持する。
【０１４２】
仮に、蓋１７１に外力が加えられたとしても、押圧部材２０２は、アーム２００および突出ピン２０４を介して、ＡＣ充電コネクタ１７５によって支持されている。ＡＣ充電コネクタ１７５は、ＡＣ充電コネクタ１７５の爪部が止め具１５９に係り止められているため、蓋１７１に外力が加えられたとしても、ＡＣ充電コネクタ１７５が接続部１５３から抜けることが抑制されている。
【０１４３】
このため、ＡＣ充電コネクタ１７５に接続部１５３が接続された状態において、蓋１７１に外力が加えられたとしても、蓋１７１が開くことが抑制されている。
【０１４４】
次に、上記の接続部１５２にＤＣ充電コネクタ１７６を接続する場合について説明する。まず、図２６に示すように、ＤＣ充電コネクタ１７６で蓋１７１を押し開けて、蓋１７１を開放位置２１３まで回転させる。
【０１４５】
次に、図２７に示すように、ＤＣ充電コネクタ１７６を接続部１５２に挿入する。ＤＣ充電コネクタ１７６が接続部１５２に挿入されると、ＤＣ充電コネクタ１７６が突出ピン１８６を押圧する。突出ピン１８６が押圧されると、アーム部１８２が回転する。アーム部１８２が回転すると、押圧部材１８４が基板１５１の背面側から表面側に向かう方向に突出し、蓋１７０の端部を押圧する。
【０１４６】
そして、ＤＣ充電コネクタ１７６の挿入に伴って、押圧部材１８４が蓋１７０を閉塞位置２１０に向けて移動させる。そして、図２７に示すように、ＤＣ充電コネクタ１７６が接続部１５２に接続されると、蓋１７０は閉塞位置２１０に位置する。なお、ＤＣ充電コネクタ１７６に設けられた爪部が止め具１６９に係止められることで、ＤＣ充電コネクタ１７６が接続部１５２に接続される。
【０１４７】
ここで、ＤＣ充電コネクタ１７６が接続部１５２に接続された状態においては、蓋１７０が閉塞位置２１０に位置し続けるように、押圧部材１８４が蓋１７０を押圧する。ＤＣ充電コネクタ１７６が接続部１５２に接続された状態で、蓋１７０に外力が加えられたとしても、蓋１７０が開くことが抑制される。
【０１４８】
具体的には、押圧部材１８４は、アーム部１８２および突出ピン１８６を介してＤＣ充電コネクタ１７６に支持されている。ＤＣ充電コネクタ１７６は、爪部が止め具１６９に係止められているので、蓋１７０に外力が加えられたとしても、ＤＣ充電コネクタ１７６が接続部１５２から抜けることが抑制されている。このため、押圧部材１８４が蓋１７０を押圧する状態は維持され、蓋１７０は閉塞位置２１０に位置し続けることになる。
【０１４９】
このように、本実施の形態２に係る充電コネクタ接続装置１５０においても、各充電コネクタが各接続部に接続された状態において、充電コネクタが接続されていない接続部の蓋が開放されることを抑制することができる。
【０１５０】
このように、本発明は、ＡＣ充電と、コンボ方式のＤＣ充電とが可能な充電コネクタ接続装置や、ＡＣ充電とチャデモ方式のＤＣ充電とが可能な充電コネクタ接続装置にも適用することができる。
【０１５１】
以上、本発明に基づいた各実施の形態について説明したが、今回開示された事項はすべての点で例示であって制限的なものではない。本発明の技術的範囲は特許請求の範囲によって示され、特許請求の範囲と均等の意味および範囲内でのすべての変更が含まれることが意図される。
【産業上の利用可能性】
【０１５２】
本発明は、充電コネクタ接続装置に適用することができる。
【符号の説明】
【０１５３】
１  車両、２  システム、３  充電システム、９  バッテリ、１０  システムメインリレー、１２，１３  回転電機、１４  動力分割機構、１５  エンジン、２０，２０Ａ  充電コネクタ接続装置、２１  充電器、２２，２３  充電リレー、２４，２７  電圧センサ、２５  プルアップ電源、２６，９６，１０４  抵抗、３０，３０Ａ，３１  充電コネクタ、３２  側面、３３，３６，３７  蓋、３４  基板、３５  コネクタ接続部、３８，３９  止め具、４０，４１，９１，９２，１０１  接続部、４２，９０，１０２  案内壁、４３ａ，４３ｅ，５０ａ，５０ｂ  端子穴、４４，５１  本体部、４５，４６，５２，５３，８５，８６，１０５，１０６  電力端子、４７  グランド端子、４８，４９，８３，８４，１０８，１０９  信号端子、５４ａ，５４ｂ  支持部、５５ａ，５５ｂ  突出部、５６  弾性部材、５７  蓋本体、５８  折曲部、６０，６１  壁、６２，８９，８９Ａ  連結部、６３，６４  溝、６５  連結溝、６６  正面、６７  背面、６８，６９  貫通孔、７０  蓋押圧機構、７１  アーム部、７２  支持部材、７３  突出ピン、７４，７６  ヒンジ、７５  押圧部材、７７  閉塞位置、７８  開放位置、７９  初期位置、８０，８１  端子、８２，１０７  接地端子、８７，８８，１１０  筒部、９３，１０３  爪部、９４，１１２  操作部、９５  コネクタケース、９７，９８，１１３，１１４，ＰＬ１，ＰＬ２，ＰＬ３，ＰＬ４，ＰＬ５，ＰＬ６  電力線、１００  ケース本体、１１１  突起部、１２０，１２１  支持壁、１３０  検知センサ、１３１  アクチュエータ。
【図１】
2016219242.tif 000003
【図２】
2016219242.tif 000004
【図３】
2016219242.tif 000005
【図４】
2016219242.tif 000006
【図５】
2016219242.tif 000007
【図６】
2016219242.tif 000008
【図７】
2016219242.tif 000009
【図８】
2016219242.tif 000010
【図９】
2016219242.tif 000011
【図１０】
2016219242.tif 000012
【図１１】
2016219242.tif 000013
【図１２】
2016219242.tif 000014
【図１３】
2016219242.tif 000015
【図１４】
2016219242.tif 000016
【図１５】
2016219242.tif 000017
【図１６】
2016219242.tif 000018
【図１７】
2016219242.tif 000019
【図１８】
2016219242.tif 000020
【図１９】
2016219242.tif 000021
【図２０】
2016219242.tif 000022
【図２１】
2016219242.tif 000023
【図２２】
2016219242.tif 000024
【図２３】
2016219242.tif 000025
【図２４】
2016219242.tif 000026
【図２５】
2016219242.tif 000027
【図２６】
2016219242.tif 000028
【図２７】
2016219242.tif 000029